【手続補正書】
【提出日】平成26年2月6日(2014.2.6)
【手続補正１】
【補正対象書類名】明細書
【補正対象項目名】発明の名称
【補正方法】変更
【補正の内容】
【発明の名称】情報管理装置、制御方法及びプログラム
【手続補正２】
【補正対象書類名】明細書
【補正対象項目名】０００１
【補正方法】変更
【補正の内容】
【０００１】
情報管理装置、制御方法及びプログラムに関する。
【手続補正３】
【補正対象書類名】明細書
【補正対象項目名】０００７
【補正方法】変更
【補正の内容】
【０００７】
本願発明は、情報管理サイト内から外部サイトにコメントを投稿する場合に、情報管理サイト内で管理される情報の公開権限に合わせて、投稿するコメントに外部サイトから情報管理サイトに誘導する情報を付加することができる仕組みを提供すること。
【手続補正４】
【補正対象書類名】明細書
【補正対象項目名】０００８
【補正方法】変更
【補正の内容】
【０００８】
本願発明は、クライアント端末およびコメント投稿サイトに通信可能に接続され、権限をもったユーザに対して公開される前記クライアント端末に表示が可能な情報である表示情報を、管理する情報管理装置であって、前記表示情報と前記権限を持たないユーザに対して当該表示情報を公開すべきものであるかを示す情報である公開可否情報とをともに記憶する記憶手段と、前記記憶手段に記憶された前記表示情報の選択と前記コメント投稿サイトへ送信するためのコメントとを、前記クライアント端末から受付ける受付手段と、前記記憶手段に記憶された前記公開可否情報を参照し、前記受付手段によって選択を受付けた前記表示情報が、前記権限を持たないユーザに対して公開すべきものであるかを判定する判定手段と、前記記憶手段に記憶された前記表示情報へアクセス可能なリンク情報を生成する生成手段と、前記受付手段によって選択を受付けた前記表示情報が、前記判定手段によって前記権限を持たないユーザに対して公開すべき前記表示情報であると判定された場合に、前記受付手段によって受付けた前記コメントと前記生成手段によって生成された前記リンク情報とを、前記コメント投稿サイトに送信する送信手段とを、備えることを特徴とする。
また、前記リンク情報は、前記記憶手段に記憶されている前記表示情報のうち、前記受付手段によって選択を受付けた画像またはダイアリーにアクセス可能な情報であることを特徴とする。
【手続補正５】
【補正対象書類名】明細書
【補正対象項目名】０００９
【補正方法】変更
【補正の内容】
【０００９】
また、前記記憶手段は、前記コメント投稿サイトにログイン可能な情報であるログイン情報をさらに記憶し、前記送信手段は、前記コメントと前記リンク情報と前記ログイン情報とを送信する際に、さらに前記ログイン情報を送信することを特徴とする。
【手続補正６】
【補正対象書類名】明細書
【補正対象項目名】００１０
【補正方法】変更
【補正の内容】
【００１０】
また、前記記憶手段は、前記送信手段の送信先として複数のコメント投稿サイトのリンク情報である投稿サイトリンク情報をさらに記憶し、前記送信手段は、前記記憶手段に記憶されている前記複数の投稿サイトリンク情報に基づいて、前記コメントと前記リンク情報と前記ログイン情報とを、当該複数の投稿サイトに送信することを特徴とする。
【手続補正７】
【補正対象書類名】明細書
【補正対象項目名】００１１
【補正方法】変更
【補正の内容】
【００１１】
また、前記記憶手段は、それぞれの前記コメント投稿サイトが表示可能なコメントの文字数である、表示可能文字数をさらに記憶し、前記コメント投稿サイトに前記コメントを送信する場合、前記送信手段は、前記コメント投稿サイトごとのそれぞれの前記表示可能文字数に基づいて、前記コメントの文字数を前記コメント投稿サイトごとに制御して送信することを特徴とする。
【手続補正８】
【補正対象書類名】明細書
【補正対象項目名】００１２
【補正方法】変更
【補正の内容】
【００１２】
また、前記情報管理装置は、前記リンク情報を短縮した情報である短縮リンク情報を生成するサイトである短縮サイトに通信可能に接続されており、前記生成手段により生成されたリンク情報を、前記短縮サイトに送信するリンク情報送信手段と、前記短縮サイトから前記短縮リンク情報を受信する短縮リンク情報受信手段とをさらに備え、前記受付手段によって選択を受付けた前記表示情報が、前記判定手段によって前記権限を持たないユーザに対して公開すべき前記表示情報であると判定された場合に、前記送信手段は、前記リンク情報送信手段によって前記リンク情報を前記短縮サイトに送信し、前記短縮サイトにて生成された前記短縮リンク情報を前記短縮リンク情報受信手段によって受信し、前記受付手段によって受付けた前記コメントと前記短縮リンク情報受信手段によって受信した前記短縮リンク情報とを、前記コメント投稿サイトに送信することを特徴とする。
【手続補正９】
【補正対象書類名】明細書
【補正対象項目名】００１３
【補正方法】変更
【補正の内容】
【００１３】
本願発明により、情報管理サイト内から外部サイトにコメントを投稿する場合に、情報管理サイト内で管理される情報の公開権限に合わせて、投稿するコメントに外部サイトから情報管理サイトに誘導する情報を付加することができる仕組みを提供することが可能となる。
【手続補正１０】
【補正対象書類名】特許請求の範囲
【補正対象項目名】全文
【補正方法】変更
【補正の内容】
【特許請求の範囲】
【請求項１】
クライアント端末およびコメント投稿サイトに通信可能に接続され、権限をもったユーザに対して公開される前記クライアント端末に表示が可能な情報である表示情報を、管理する情報管理装置であって、
前記表示情報と前記権限を持たないユーザに対して当該表示情報を公開すべきものであるかを示す情報である公開可否情報とをともに記憶する記憶手段と、
前記記憶手段に記憶された前記表示情報の選択と前記コメント投稿サイトへ送信するためのコメントとを、前記クライアント端末から受付ける受付手段と、
前記記憶手段に記憶された前記公開可否情報を参照し、前記受付手段によって選択を受付けた前記表示情報が、前記権限を持たないユーザに対して公開すべきものであるかを判定する判定手段と、
前記記憶手段に記憶された前記表示情報へアクセス可能なリンク情報を生成する生成手段と、
前記受付手段によって選択を受付けた前記表示情報が、前記判定手段によって前記権限を持たないユーザに対して公開すべき前記表示情報であると判定された場合に、前記受付手段によって受付けた前記コメントと前記生成手段によって生成された前記リンク情報とを、前記コメント投稿サイトに送信する送信手段とを、
備えることを特徴とする情報管理装置。
【請求項２】
前記リンク情報は、前記記憶手段に記憶されている前記表示情報のうち、前記受付手段によって選択を受付けた画像またはダイアリーにアクセス可能な情報であることを特徴とする請求項１に記載の情報管理装置。
【請求項３】
前記記憶手段は、前記コメント投稿サイトにログイン可能な情報であるログイン情報をさらに記憶し、
前記送信手段は、前記コメントと前記リンク情報と前記ログイン情報とを送信する際に、さらに前記ログイン情報を送信することを特徴とする請求項１または請求項２に記載の情報管理装置。
【請求項４】
前記記憶手段は、前記送信手段の送信先として複数のコメント投稿サイトのリンク情報である投稿サイトリンク情報をさらに記憶し、
前記送信手段は、前記記憶手段に記憶されている前記複数のコメント投稿サイトリンク情報に基づいて、前記コメントと前記リンク情報と前記ログイン情報とを、当該複数の投稿サイトに送信することを特徴とする請求項１乃至請求項３のいずれか１項に記載の情報管理装置。
【請求項５】
前記記憶手段は、それぞれの前記コメント投稿サイトが表示可能なコメントの文字数である、表示可能文字数をさらに記憶し、
前記コメント投稿サイトに前記コメントを送信する場合、前記送信手段は、前記コメント投稿サイトごとのそれぞれの前記表示可能文字数に基づいて、前記コメントの文字数を前記コメント投稿サイトごとに制御して送信することを特徴とする請求項１乃至４のいずれか１項に記載の情報管理装置。
【請求項６】
前記情報管理装置は、前記リンク情報を短縮した情報である短縮リンク情報を生成するサイトである短縮サイトに通信可能に接続されており、
前記生成手段により生成されたリンク情報を、前記短縮サイトに送信するリンク情報送信手段と、
前記短縮サイトから前記短縮リンク情報を受信する短縮リンク情報受信手段とをさらに備え、
前記受付手段によって選択を受付けた前記表示情報が、前記判定手段によって前記権限を持たないユーザに対して公開すべき前記表示情報であると判定された場合に、前記送信手段は、前記リンク情報送信手段によって前記リンク情報を前記短縮サイトに送信し、前記短縮サイトにて生成された前記短縮リンク情報を前記短縮リンク情報受信手段によって受信し、前記受付手段によって受付けた前記コメントと前記短縮リンク情報受信手段によって受信した前記短縮リンク情報とを、前記コメント投稿サイトに送信することを特徴とする請求項１乃至５のいずれか１項に記載の情報管理装置。
【請求項７】
クライアント端末およびコメント投稿サイトに通信可能に接続され、権限をもったユーザに対して公開される前記クライアント端末に表示が可能な情報である表示情報と、前記権限を持たないユーザに対して当該表示情報を公開すべきものであるかを示す情報である公開可否情報とをともに記憶する記憶手段を備える情報管理装置における制御方法であって、
前記情報管理装置の受付手段が、前記記憶手段に記憶された前記表示情報の選択と前記コメント投稿サイトへ送信するためのコメントとを、前記クライアント端末から受付ける受付工程と、
前記情報管理装置の判定手段が、前記記憶手段に記憶された前記公開可否情報を参照し、前記受付手段によって選択を受付けた前記表示情報が、前記権限を持たないユーザに対して公開すべきものであるかを判定する判定工程と、
前記記憶手段に記憶された前記表示情報へアクセス可能なリンク情報を生成する生成工程と、
前記情報管理装置の送信手段が、前記受付手段によって選択を受付けた前記表示情報が、前記判定工程によって前記権限を持たないユーザに対して公開すべき前記表示情報であると判定された場合に、前記受付手段によって受付けた前記コメントと前記生成手段によって生成された前記リンク情報とを、前記コメント投稿サイトに送信する送信工程と、
を含むことを特徴とする制御方法。
【請求項８】
クライアント端末およびコメント投稿サイトに通信可能に接続され、権限をもったユーザに対して公開される前記クライアント端末に表示が可能な情報である表示情報と、前記権限を持たないユーザに対して当該表示情報を公開すべきものであるかを示す情報である公開可否情報とをともに記憶する記憶手段を備える情報管理装置で読み取り実行可能なプログラムであって、
前記情報管理装置を、
前記記憶手段に記憶された前記表示情報の選択と前記コメント投稿サイトへ送信するためのコメントとを、前記クライアント端末から受付ける受付手段と、
前記記憶手段に記憶された前記公開可否情報を参照し、前記受付手段によって選択を受付けた前記表示情報が、前記権限を持たないユーザに対して公開すべきものであるかを判定する判定手段と、
前記記憶手段に記憶された前記表示情報へアクセス可能なリンク情報を生成する生成手段と、
前記受付手段によって選択を受付けた前記表示情報が、前記判定手段によって前記権限を持たないユーザに対して公開すべき前記表示情報であると判定された場合に、前記受付手段によって受付けた前記コメントと前記生成手段によって生成された前記リンク情報とを、前記コメント投稿サイトに送信する送信手段と、
して機能させることを特徴とするプログラム。